(57)【要約】【課題】  塩素系水溶液が失活しはじめていても殺菌力の高い殺菌水を安定して製造する。【解決手段】    殺菌水製造装置１００において、酸水溶液の原液を混入する第１混入器２８Ａが設けられ、塩素系水溶液の原液を混入する第２混入器２８Ｂが設けられる。第１混入器２８Ａおよび第２混入器２８Ａの両者の下流にｐＨセンサー４２が設けられる。このｐＨセンサー４２のｐＨ値の値に応じて塩素系水溶液ポンプ３６Ｂによる塩素系水溶液の供給速度が制御される。【選択図】        図１
2006305428.tif 000002
【特許請求の範囲】
【請求項１】
塩酸もしくは酢酸、またはこれらの混合物の酸水溶液と、次亜塩素酸ナトリウムもしくは二酸化塩素、またはこれらの混合物の塩素系水溶液とを水に混入させて製造する殺菌水の製造方法であって、
流路に水流を作るステップと、
該水流に酸水溶液の原液を混入するステップと、
塩素系水溶液の原液を塩素系水溶液ポンプにより供給して該水流に混入するステップと、
酸水溶液の原液と塩素系水溶液の原液とが混入された水流のｐＨ値をｐＨセンサーにより検知するステップと、
前記ｐＨセンサーの出力に応じて前記塩素系水溶液ポンプによる塩素系水溶液の原液の供給速度を制御する制御ステップと
を含む殺菌水の製造方法。
【請求項２】
前記制御ステップは、
前記ｐＨセンサーによる水流のｐＨ値が所定の下限値より小さくなると塩素系水溶液の原液の供給速度を増加させるステップと、
前記ｐＨセンサーによる水流のｐＨ値が所定の上限値より大きくなると塩素系水溶液の原液の供給速度を低下させるステップと
を含む、請求項１に記載の殺菌水の製造方法。
【請求項３】
前記制御ステップは、前記ｐＨセンサーによる水流のｐＨ値を所定の値に保つように前記塩素系水溶液の原液の供給速度を比例制御するステップである、請求項１に記載の殺菌水の製造方法。
【請求項４】
酸水溶液の原液と塩素系水溶液の原液とが混入された水流中の残留塩素濃度を塩素センサーにより検知するステップをさらに含み、
前記塩素センサーによる水流中の残留塩素濃度にさらに応じて、前記塩素系水溶液ポンプによる塩素系水溶液の原液の供給速度が制御される、請求項１に記載の殺菌水の製造方法。
【請求項５】
前記ｐＨセンサーの出力に応じて酸水溶液ポンプにより水流に供給する酸水溶液の原液の供給速度を制御するステップをさらに備え、
前記ｐＨセンサーによる水流のｐＨ値が所定の下限値より小さくなると、酸水溶液の原液の供給速度が低下される、請求項１に記載の殺菌水の製造方法。
【請求項６】
塩酸もしくは酢酸、またはこれらの混合物の酸水溶液と、次亜塩素酸ナトリウムもしくは二酸化塩素、またはこれらの混合物の塩素系水溶液とを水に混入させて製造する殺菌水の製造装置であって、
水の流路と、
該流路のいずれかの部分に設けられ、水流に酸水溶液の原液を混入する第１混入器と、
該流路のいずれかの部分に設けられ、水流に塩素系水溶液の原液を混入する第２混入器と、
該水流における該第１混入器および該第２混入器の両者の下流において該流路に設けられ、水流のｐＨ値を検知するｐＨセンサーと、
該第２混入器に塩素系水溶液の原液を導く塩素系水溶液供給路に設けられ、前記ｐＨセンサーの出力に応じて塩素系水溶液の原液の供給速度を制御して該塩素系水溶液の原液を供給する塩素系水溶液ポンプと
を備えてなる殺菌水の製造装置。
【請求項７】
前記塩素系水溶液ポンプは、前記ｐＨセンサーによる水流のｐＨ値が所定の下限値より小さくなると塩素系水溶液の原液の供給速度を増加させ、前記ｐＨセンサーによる水流のｐＨ値が所定の上限値より大きくなると塩素系水溶液の原液の供給速度を低下させる、請求項６に記載の殺菌水の製造装置。
【請求項８】
前記塩素系水溶液ポンプは、前記ｐＨセンサーによる水流のｐＨ値を所定の値に保つように塩素系水溶液の原液の供給速度が比例制御される、請求項６に記載の殺菌水の製造装置。
【請求項９】
前記水流における該第１混入器および該第２混入器の両者の下流において該流路に設けられ、水流中の残留塩素濃度を検知する塩素センサーをさらに備え、
前記塩素センサーによる水流中の残留塩素濃度にさらに応じて、前記塩素系水溶液ポンプによる塩素系水溶液の原液の供給速度が制御される、請求項６に記載の殺菌水の製造装置。
【請求項１０】
前記第１混入器に酸水溶液の原液を導く酸水溶液供給路に設けられ、前記ｐＨセンサーの出力に応じて酸水溶液の原液の供給速度が制御される酸水溶液ポンプをさらに備え、
前記ｐＨセンサーによる水流のｐＨ値が所定の下限値より小さくなると前記酸水溶液ポンプによる酸水溶液の原液の供給速度を低下させる、請求項６に記載の殺菌水の製造装置。
【発明の詳細な説明】
【技術分野】
【０００１】
本発明は、次亜塩素酸ナトリウムなどの殺菌水の製造方法および製造装置に関する。さらに詳細には、本発明は、塩素系殺菌水に用いる塩素系水溶液の原液の劣化に対応しうる製造方法および製造装置に関する。
【背景技術】
【０００２】
従来、塩素系殺菌水の酸性度（ｐＨ）を調整して、殺菌力の強い殺菌水を製造する装置が作製されている。この殺菌水製造装置においては、ｐＨを調整するための塩酸等の酸水溶液を原液として水流に混入し、殺菌水の原液となる次亜塩素酸ナトリウム水溶液を混入して殺菌水が製造される（例えば、特許文献１）。このようにして製造された殺菌水は、例えば、塩素濃度が２０ｐｐｍ程度から２００ｐｐｍ程度にされて用いられる。この殺菌水は、例えば食品産業において微生物の繁殖を防止するために洗浄を行う各種の用途に用いられる。そのような例としては、食品の製造プロセスラインの洗浄工程（ＣＩＰ洗浄工程）がある。
【特許文献１】特開２００３−２００１７４号公報
【発明の開示】
【発明が解決しようとする課題】
【０００３】
かかる従来の殺菌水の製造装置において、塩素系水溶液を水に混入する混入器が水流によって生じる負圧を利用したエジェクター等である場合には、装置を大型にして多量の殺菌水を製造する場合（例えば毎分５０ｌの殺菌水を製造する場合）に安定した混入動作が実現しにくいという問題がある。これを防止するには、塩素系水溶液や酸水溶液を水流に混合させるためにポンプを使用することが有効である。
【０００４】
このようにポンプを用いて塩素系水溶液を混入させて殺菌水を製造する場合であっても、塩素系水溶液の原液として次亜塩素酸ナトリウム水溶液の高濃度の原液を用いると、安定した殺菌水の製造が難しいという課題がある。
【０００５】
本発明は、上記問題点の少なくともいくつかを解決することを課題とする。
【課題を解決するための手段】
【０００６】
本願の発明者は、安定した殺菌水の製造が難しい原因が、使用中に次亜塩素酸ナトリウムの実質的な濃度が低下して劣化する（失活する）点にあることを見出した。例えば、次亜塩素酸ナトリウム水溶液の原液の濃度を当初に１４％程度にして装置を稼動させても、３ヶ月程度使い続ける間に、次亜塩素酸ナトリウムの濃度が１１％を下回る。さらに、本願の発明者は、このように失活しはじめた塩素系水溶液を用いても、塩素系水溶液の混入量を適切に管理することができれば、所定の殺菌力の殺菌水が製造できることを見出した。
【０００７】
この性質を利用した殺菌水の製造方法および製造措置の構成を鋭意検討した結果、本願の発明者は、失活を適切に反映させて塩素系水溶液の原液を適切な量だけ混入させるためには、どのパラメータを、どの段階で検知して塩素系水溶液の供給速度を制御すべきであるかを見出すに至った。
【０００８】
すなわち、本発明においては、塩酸もしくは酢酸、またはこれらの混合物の酸水溶液と、次亜塩素酸ナトリウムもしくは二酸化塩素、またはこれらの混合物の塩素系水溶液とを水に混入させて製造する殺菌水の製造方法であって、流路に水流を作るステップと、該水流に酸水溶液の原液を混入するステップと、塩素系水溶液の原液を塩素系水溶液ポンプにより供給して該水流に混入するステップと、酸水溶液の原液と塩素系水溶液の原液とが混入された水流のｐＨ値をｐＨセンサーにより検知するステップと、前記ｐＨセンサーの出力に応じて前記塩素系水溶液ポンプによる塩素系水溶液の原液の供給速度を制御する制御ステップとを含む殺菌水の製造方法が提供される。
【０００９】
また、塩酸もしくは酢酸、またはこれらの混合物の酸水溶液と、次亜塩素酸ナトリウムもしくは二酸化塩素、またはこれらの混合物の塩素系水溶液とを水に混入させて製造する殺菌水の製造装置であって、水の流路と、該流路のいずれかの部分に設けられ、水流に酸水溶液の原液を混入する第１混入器と、該流路のいずれかの部分に設けられ、水流に塩素系水溶液の原液を混入する第２混入器と、該水流における該第１混入器および該第２混入器の両者の下流において該流路に設けられ、水流のｐＨ値を検知するｐＨセンサーと、該第２混入器に塩素系水溶液の原液を導く塩素系水溶液供給路に設けられ、前記ｐＨセンサーの出力に応じて塩素系水溶液の原液の供給速度を制御して該塩素系水溶液の原液を供給する塩素系水溶液ポンプとを備えてなる殺菌水の製造装置が提供される。
【００１０】
上記殺菌水の製造方法や製造装置においては、塩素系水溶液と酸水溶液とが共に混入された後の水流のｐＨを測定する。これは、この段階でのｐＨ値の変動が、塩素系水溶液の失活と強い相関を有しているという発明者らの実験事実に基づく。本発明においては、第２混入器は、水流における第１混入器の下流において流路に設けられている様な構成とすることもできる。また、水流を二つに分けて、一つの水流において第１混入器によって酸水溶液の原液を混入して希釈酸水溶液とし、もうひとつの水流において第２の混入器によって塩素系水溶液の原液を混入して希釈塩素系水溶液として、希釈酸水溶液と希釈塩素系水溶液とを混合して殺菌水を作るような構成としてもよい。いずれにしても、ｐＨセンサーは、水流に酸水溶液の原液と塩素系水溶液の原液とが共に混入された後の水流のｐＨ値を検知する。なお、本明細書の記載において原液とは、水に混入されて希釈されることを前提に調製されている酸水溶液や塩素系水溶液について用いる。また、本発明の構成においては、残留塩素センサーに比べて比較的安価なｐＨセンサーを用いるため、塩素系水溶液の失活に対処するためのコストが少なくてすむという利点もある。
【００１１】
また、ｐＨセンサーが示すｐＨ値が所定の下限値より小さく振れた場合（酸性に振れた場合）には、塩素系水溶液の混入量を多くするために塩素系水溶液の供給速度を増加させ、逆に、ｐＨセンサーが示すｐＨ値が所定の上限値より大きく振れた場合（アルカリ性に振れた場合）には、塩素系水溶液の混入量を少なくするために塩素系水溶液の供給速度を低下させるように制御することが望ましい。この構成によって、比較的簡単な制御によって、塩素系水溶液の失活に対処することができる。
【００１２】
さらに、本発明においては、ｐＨセンサーによる水流のｐＨ値を所定の値に保つように、塩素系水溶液の原液の供給速度を比例制御することが好適である。例えば、ｐＨ値を６．５とするようにＰＩＤコントローラを用いて比例制御するのが好適である。比例制御によって、ｐＨ値を所定の値に保つようにより精密に塩素系水溶液の供給速度を制御することができる。
【００１３】
本発明においては、酸水溶液の原液と塩素系水溶液の原液とが混入された水流中の残留塩素濃度を塩素センサーにより検知するステップをさらに含み、前記塩素センサーによる水流中の残留塩素濃度にさらに応じて、前記ｐＨ値と共に塩素系水溶液の原液の供給速度が制御されることが望ましい。ｐＨセンサーによる制御に加えて塩素センサーを用いれば、塩素系水溶液が失活して残留塩素量が減少するのに合わせて一層精密な制御を行うことができる。
【００１４】
本発明においては、ｐＨセンサーの出力に応じて酸水溶液ポンプにより水流に供給する酸水溶液の原液の供給速度を制御し、前記ｐＨセンサーによる水流のｐＨ値が所定の下限値より小さくなると、酸水溶液の原液の供給速度を低下させることが望ましい。ｐＨセンサーによって酸水溶液ポンプを制御すれば、塩素系水溶液の供給速度を増加させてもｐＨ値の変動に対処できないような場合に、酸水溶液の供給速度を低下させて適正なｐＨ値を保ったり、液性が大きく酸性に振れて塩素ガスが発生するのを防止することができる。
【発明の効果】
【００１５】
本発明においては、酸水溶液の原液と塩素系水溶液の原液とが混入された水流のｐＨ値をｐＨセンサーにより検知して、その出力に応じて塩素系水溶液ポンプによる塩素系水溶液の原液の供給速度を制御するため、塩素系水溶液が失活し始めていても、適切に殺菌水に混入すべき塩素系水溶液の供給速度が定めることができる。また、この構成はｐＨセンサーを用いるため、他のセンサーを用いる場合に比べて比較的少ないコストにより実現することができる。
【発明を実施するための最良の形態】
【００１６】
以下、図面を参照して、本発明の実施形態について説明する。
［実施形態１］
図１は、本発明の第１の実施形態に係る殺菌水製造装置の配管系統と各要素の構成を示す構成図である。この殺菌水製造装置１００は、塩酸もしくは酢酸、またはこれらの混合物の酸水溶液（以下、酸水溶液という）と、次亜塩素酸ナトリウムもしくは二酸化塩素、またはこれらの混合物の塩素系水溶液（以下、塩素系水溶液という）とを原水に混入させて殺菌水を製造する。
【００１７】
本実施形態の殺菌水製造装置１００には、水道水が供給される水の流路１０が設けられる。流路１０には、装置停止時の水の逆流等を防止するための逆止弁１２、水道水の供給を断続させるための電磁弁１４、供給される水道水の流量を測定する流量センサー１６が挿入されている。この原水は、本願の発明においては特に限定されないが、水道水、井戸水、河川水等の任意の水源からの水を用いることができる。また、この原水は、例えば水道水を一旦タンクに溜めて用いることができ、また、水道に直結された供給経路を流路１０に直結することができる。以下、本実施形態では、水道につながる流路１８によって給水タンク２０に水道水が供給され、給水タンク２０に一旦貯留された水道水がポンプ２２によって供給される構成を例示する。なお、給水タンク２０には、適宜満水センサー２４や渇水センサー２６が設けられ、水道水の貯留量がモニターされる。
【００１８】
流路１０には、水流に酸水溶液の原液を混入する第１混入器２８Ａが設けられる。第１混入器２８Ａのさらに下流の流路１０には、第１混入器２８Ａからの水流を攪拌させるための攪拌部材３０Ａが配置される。この攪拌部材３０Ａは、例えば、流路に固定されて水流中に突出している部材を複数並べたものなどとすることができ、水流を乱流にして酸の濃度を均一化する作用を有している。さらに、攪拌部材３０Ａの下流には、水流に塩素系水溶液の原液を混入する第２混入器２８Ｂが設けられ、攪拌部材３０Ｂが設けられる。攪拌部材３０Ａによって、酸水溶液が希釈された希釈酸水溶液は濃度揺らぎがないように十分に均一にされているので、第２混入器２８Ｂによってそこに塩素系水溶液が混入されても、塩素ガスが発生することはない。
【００１９】
第１混入器２８Ａおよび第２混入器２８Ｂには、それぞれ、酸水溶液および塩素系水溶液を供給するための供給路３２Ａ、３２Ｂが接続されている。供給路３２Ｂ、３２Ｂの上流側の端部は、酸水溶液および塩素系水溶液の原液が貯留される原液タンク３４Ａ、３４Ｂに接続されている。供給路３２Ｂ、３２Ｂの途中には、それぞれ、酸水溶液ポンプ３６Ａと塩素系水溶液ポンプ３６Ｂとが備えられている。これらの酸水溶液ポンプ３６Ａと塩素系水溶液ポンプ３６Ｂは、単位時間あたりの吐出量（供給速度）が制御可能である。酸水溶液ポンプ３６Ａと塩素系水溶液ポンプ３６Ｂは、各種のポンプとすることができる。例えば、一定の体積の原液を一回の吐出により出力し、単位時間当たりの吐出回数を制御するような定量ポンプとすることができる。なお、供給路３２Ｂ、３２Ｂには、殺菌水を製造しない場合や緊急停止する場合などに原液の供給を停止させるための電磁弁３８Ａおよび３８Ｂが設けられている。また、原液タンク３４Ａ、３４Ｂには、それぞれ渇水センサー４０Ａ、４０Ｂが設けられている。
【００２０】
流路１０には、第１混入器２８Ａおよび第２混入器２８Ａの両者の下流にｐＨセンサー４２が設けられる。このｐＨセンサー４２は、流路１０の内部の水流のｐＨ値を検知して、ｐＨ値の情報を含む信号を出力する。その信号は、コントローラ（図示しない）に入力され、コントローラにおいて、塩素系水溶液ポンプ３６Ｂを制御するための制御信号が生成される。この制御信号によって塩素系水溶液ポンプ３６Ｂの供給速度が制御される。こうして、水流のｐＨ値に応じて制御された供給速度で水流中へ塩素系水溶液の原液が供給される。
【００２１】
本実施形態の制御においては、殺菌水の製造時にｐＨセンサー４２によって水流のｐＨ値をモニターし続ける。そして、モニターしているｐＨ値が予め定めた下限値と上限値との間に入っている場合には、塩素系水溶液ポンプ３６Ｂの供給速度がそのまま維持される。モニターしているｐＨ値が下限値より小さくなって水流の液性が酸性に振れると、予め定められている増加分だけ、塩素系水溶液の原液の供給速度が増加される。その逆に、モニターしているｐＨ値が上限値より大きくなって液性がアルカリ性に振れると、予め定められている減少分だけ、塩素系水溶液の原液の供給速度が低下される。これらの制御は、コントローラ（図示しない）によって行われる。
【００２２】
ｐＨセンサー４２を通過した水流は、ｐＨ値が制御されて殺菌力が高められた殺菌水となっているので、本実施形態の殺菌水製造装置１００においては、例えば、その水流をそのまま外部に取り出して使用することができ、あるいは、生成水タンクに一旦貯留して使用することができる。これらの使用態様のいずれにおいても用いることができるように、本実施形態の殺菌水製造装置１００においては、ｐＨセンサー４２の下流において流路１０が流路１０Ｘと１０Ｙとに分岐されており、その流路１０Ｙはさらに生成水タンク４４によって受けられている。生成水タンク４４には、貯留される殺菌水を導くように流路１０Ｚが配置されており、その流路１０Ｚは再び流路１０Ｘと合流されて、再度流路１０となる。流路１０Ｘ〜Ｚにはそれぞれボールバルブ４６Ｘ〜Ｚが設けられている。ボールバルブ４６Ｘ〜Ｚは生成水タンク４４を用いるかどうかに応じて開閉されて、上記のいずれの使用態様により殺菌水を用いるかが決められる。なお、流路１０Ｚには、生成水ポンプ４８が設けられる。生成水ポンプ４８は、例えば圧力スイッチ５０と連動しており殺菌水を生成水タンク４４から汲み出すために用いられる。生成水タンク４４には、適宜満水センサー５２や渇水センサー５４が設けられ、生成水の貯留量がモニターされる。また、外部に取り出された殺菌水は、外部のタンク（図示しない）にさらに貯留されて使用されることもできるし、別の例としては、何らかの食品製造装置の配管（図示しない）に接続されて洗浄処理に用いられることもできる。
【００２３】
実施形態１の変形例として、流路１０が流路１０Ａと流路１０Ｂに分岐されてから再度合流して流路１０となるように構成され、流路１０Ａ、Ｂに、それぞれ、混入器２８Ａ、Ｂおよび攪拌部材３０Ａ、Ｂが設けられ、さらに、流路１０Ａと流路１０Ｂの合流部の下流の流路１０にｐＨセンサー４２が配置される殺菌水製造装置１１０を実現することができる。図２は、この構成を部分的に示す構成図である。このように構成されても、ｐＨセンサー４２が測定するｐＨ値は、酸水溶液と塩素系水溶液が共に混入された殺菌水のｐＨ値となり、塩素系水溶液の失活の程度に応じたｐＨ値が測定される。こうして、ｐＨ値に基づいて塩素系水溶液の供給速度の上記のような制御を行うことができる。
【００２４】
［実施形態２］
次に、制御態様が異なる本発明の第２の実施形態について説明する。本実施形態は、ハードウエアとしての構成は実施形態１と同様であり、制御の態様のみが異なる。本実施形態においては、ｐＨセンサー４２によって水流のｐＨ値が所定の目標値、例えば６．０、あるいは６．５に保つように、ｐＨセンサー４２の出力と比例制御とを組み合わせて塩素系水溶液の原液の供給速度が制御される。比例制御は、ｐＨセンサー４２の示す測定値のｐＨ値と、ｐＨ値の目標値との差分を制御に用いた比例制御でもよいし、また、その差分を関数処理してその関数の値を用いた比例制御でもよい。この関数処理の例としては、ｐＨ値に指数関数の変換を施して水素イオン濃度に変換して、水素イオン濃度を算出する処理とすることもできる。
【００２５】
また、本実施形態の比例制御は、測定値のｐＨ値と、ｐＨ値の目標値との差分に比例する成分を塩素系水溶液の供給速度の制御に用いる各種の制御とすることができる。例えば、ｐＨ値等の目標値と測定値からの差分の値に比例した制御の一例として、ＰＩ制御（比例積分制御）を用いることができる。塩素系水溶液の原液の失活によって生じるｐＨ値の変化は時間的に緩やかな変化であるため、比例制御に積分制御を加えることにより、塩素系水溶液の供給速度を適切に制御することができる効果がある。さらに、本実施形態の変形例として、微分制御も加えてＰＩＤ制御（比例積分微分制御）によって、過渡応答を向上させることもできる。
【００２６】
［実施形態３］
本発明のさらに第３の実施形態として、実施形態１の構成に加えて、ｐＨセンサー４２の下流にさらに残留塩素センサー５６を設けることができる。残留塩素センサー５６の出力は、ｐＨセンサー４２の出力と同様に、コントローラ（図示しない）に入力されて塩素系水溶液ポンプ３６Ｂの供給速度の決定に利用される。残留塩素センサー５６を追加してその出力を制御に用いると、ｐＨセンサー４２の値が示すｐＨ値に加えて、残留塩素センサー５６の値を制御に用いることができる。例えば、ｐＨセンサー４２の値から算出される水素イオン濃度値の差分と残留塩素センサー５６の残留塩素値の差分とに基づいて、塩素系水溶液の供給速度を制御することができる。このように制御すると、ｐＨ値のみに基づいて制御する場合に比べて、塩素系水溶液の混入量を反映させた制御が可能になる。
【００２７】
［実施形態４］
本発明においては、実施形態１の構成に加えて、ｐＨセンサー４２の出力に応じて、酸水溶液の供給速度が制御されてもよい。特に、ｐＨセンサー４２によるｐＨ値が所定の下限値より小さな値となる場合に酸水溶液の供給速度が低下されると、塩素系水溶液の供給速度を上げるのみでは不十分な場合であっても、殺菌水を所定の範囲のｐＨ値とすることができる。この場合のｐＨ値の下限値は、たとえば、塩素系水溶液の制御行うためのｐＨ値の下限値に比べて小さな値（より強い酸性の値）に設定することができる。このように設定すれば、塩素系水溶液の経時変化によりｐＨ値が変動する場合には、塩素系水溶液の供給速度を制御し、何らかの異常により大きく酸性に振れたときには、酸水溶液の供給を少なくするか又は停止して、塩素ガスの発生を防止することができる。
【００２８】
以上、本発明の実施形態につき述べたが、本発明は既述の実施形態に限定されるものではなく、本発明の技術的思想に基づいて各種の変形、変更および組み合わせが可能である。
【図面の簡単な説明】
【００２９】
【図１】本発明の実施形態にかかる殺菌水製造装置の構成を示す構成図である。
【図２】本発明の実施形態にかかる殺菌水製造装置の変形例の一部の構成を示す構成図である。
【符号の説明】
【００３０】
１００、１１０       殺菌水製造装置
１０   流路
１２   逆止弁
１４   電磁弁
１６   流量センサー
１８   流路
２０   給水タンク
２２   ポンプ
２４、５２    満水センサー
２６、５４    渇水センサー
２８   混入器
３０   攪拌部材
３２   供給路
３４   原液タンク
３６Ｂ 塩素系水溶液ポンプ
３６Ａ 酸水溶液ポンプ
３８   電磁弁
４０   渇水センサー
４２   ｐＨセンサー
４４   生成水タンク
４６   ボールバルブ
４８   生成水ポンプ
５０   圧力スイッチ
５６   残留塩素センサー
【図１】
2006305428.tif 000003
【図２】
2006305428.tif 000004